(57)【要約】【課題】  限られた表示領域においても操作器の操作に応じて設定が変更された項目をタッチパネルで効率的に表示することにより操作を行いながら設定値の確認が可能な撮影用コントローラを提供すること。【解決手段】  表示部及び第１の操作部を兼ねるタッチパネルとハード部材で構成される第２の操作部とを備え、前記表示部は第１または第２の操作部が操作された結果に応じて該操作に関連する項目と該項目の設定値を設定値表示領域に表示する設定値表示領域を有し、該設定値表示領域の表示を該操作に応じて変更することを特徴とする構成とした。【選択図】  図４
2018201093.tif 000002
【特許請求の範囲】
【請求項１】
表示部及び第１の操作部を兼ねるタッチパネルとハード部材で構成される第２の操作部とを備え、前記表示部は第１または第２の操作部が操作された結果に応じて該操作に関連する項目と該項目の設定値を設定値表示領域に表示する設定値表示領域を有し、該設定値表示領域の表示を該操作に応じて変更することを特徴とする、撮影用コントローラ。
【請求項２】
前記第１または第２の操作部の操作により一つの設定値が変更される場合には該設定値と該操作に関連する設定値を設定値表示領域に表示することを特徴とする、請求項１に記載の撮影用コントローラ。
【請求項３】
前記第１または第２の操作部の操作により複数の設定値が変更される場合には前記操作の操作内容を設定値表示領域に表示することを特徴とする、請求項１に記載の撮影用コントローラ。
【請求項４】
前記第１または第２の操作部の操作がパン/チルト/ズームのいずれかであり、第１または第２の操作部の他の操作と同時に行われる場合には前記第１または第２の操作部の操作に関係する設定値を設定値表示領域に表示することを特徴とする、請求項１に記載の撮影用コントローラ。
【請求項５】
前記第１または第２の操作部の操作がパン/チルト/ズームのいずれかであり、該操作の設定値が端付近にあり、第１または第２の操作部の他の操作と同時に行われる場合にはパン/チルト/ズーム操作によって変化した設定値を設定値表示領域に表示することを特徴とする、請求項１に記載の撮影用コントローラ。
【請求項６】
前記第１または第２の操作部の操作が一定時間行われず、制御対象のズーム位置が望遠端である場合にズーム関連項目を設定値表示領域に表示することを特徴とする、請求項１に記載の撮影用コントローラ。
【発明の詳細な説明】
【技術分野】
【０００１】
本発明は、撮影用コントローラに関し、特に雲台操作を行う撮影用コントローラに関するものである。
【背景技術】
【０００２】
従来、監視カメラ等はカメラと離れた位置にある操作器からの遠隔操作によって制御されている。所望の撮影条件とするために、操作器から各種制御モードの設定や操作が行えるようになっている。
【０００３】
映像を撮影する場合は、映像を見ながら操作器を操作する必要が生じる。その際、誤操作を防止するために操作器ではジョイスティックやハードスイッチなどのハード部材が用いられる。ハード部材に専用の機能が割り当てられることで操作がしやすくなる。
【０００４】
また、近年ではＣＰＵ性能の向上に起因するソフト処理の高速化によりタッチパネルを用いたＧＵＩ上のソフトスイッチ操作が広く用いられている。この場合、タッチパネルはＧＵＩを表示する表示部と一体になって形成される。そのため、ソフトスイッチ画面をタッチパネルの表示部に構成し、表示部の押下をタッチパネルで検知することで操作部としても用いられる。ソフトスイッチは画面上で自由に構成できるため、操作対象ごとにスイッチ構成を変更することが可能となる。操作器においても、タッチパネルを操作部として使用するものが知られている。例えば、特許文献１ではハード部材とタッチパネルで操作を行う技術が開示されている。
【０００５】
また、タッチパネルを使用する操作器では操作対象の状態表示も操作器のタッチパネル上で行う。例えば、特許文献２では操作器のタッチパネルに状態表示用の表示領域を設けてユーザが指定した設定値を表示する技術が開示されている。
【先行技術文献】
【特許文献】
【０００６】
【特許文献１】特開２０１４−３８２８５号公報
【特許文献２】特開２００３−１０１８３７号公報
【発明の概要】
【発明が解決しようとする課題】
【０００７】
しかしながら、上述の特許文献１に開示されたハード部材とタッチパネルの両方の操作を併せて行う構成の操作器では、設置場所の制限がある場合には筺体を大きくすることはできないため、それぞれの操作部の領域は限られたものになる。特に、タッチパネルは表示部も兼ねているため表示領域も狭くなる。表示部の領域が限られているため、ハード部材を操作中に表示部のＧＵＩがソフトスイッチを表示していると、操作対象の状態を表示することは困難である。そのため、ハード部材とタッチパネルの両方の操作を行う場合に操作対象の状態の確認が難しくなる。
【０００８】
また、上述の特許文献２に開示された従来技術では、ユーザが指定した情報のみの表示に限定されている。事前に表示する情報が決められているため撮影時の操作との対応は一部の機能のみに限定される。そのため、操作内容に応じた表示を効率的に行うことはできない。
【０００９】
そこで、本発明の目的は、限られた表示領域においても操作器の操作に応じて設定が変更された項目をタッチパネルで効率的に表示することにより操作を行いながら設定値の確認が可能な撮影用コントローラを提供することである。
【課題を解決するための手段】
【００１０】
上記目的を達成するために、本発明は、表示部及び第１の操作部を兼ねるタッチパネルとハード部材で構成される第２の操作部とを備え、前記表示部は第１または第２の操作部が操作された結果に応じて該操作に関連する項目と該項目の設定値を設定値表示領域に表示する設定値表示領域を有し、該設定値表示領域の表示を該操作に応じて変更することを特徴とする。
【発明の効果】
【００１１】
本発明によれば限られた表示領域においても操作器の操作に応じて設定が変更された項目をタッチパネルで効率的に表示することにより操作を行いながら設定値の確認が可能な撮影用コントローラを提供することができる。
【図面の簡単な説明】
【００１２】
【図１】実施例１の撮影用コントローラを含む撮影システムの接続図である。
【図２】実施例１の撮影用コントローラの内部構成を表すブロック図である。
【図３】実施例１の撮影用コントローラのタッチパネルの画面構成の例である。
【図４】実施例１の撮影用コントローラのＣＰＵの処理の流れを表すフローチャートである。
【図５】実施例１の撮影用コントローラの設定値とその設定値に関連する項目を設定値表示領域に表示する場合のタッチパネルの画面構成の例である。
【図６】実施例１の撮影用コントローラの操作内容を設定値表示領域に表示する場合のタッチパネルの画面構成の例である。
【図７】実施例２と実施例３の撮影用コントローラの内部構成を表すブロック図である。
【図８】実施例２の撮影用コントローラのＣＰＵの処理の流れを表すフローチャートである。
【図９】実施例２の撮影用コントローラのＣＰＵの処理の流れを表すフローチャートである。
【図１０】実施例２の撮影用コントローラのズーム位置を設定値表示領域に表示する場合のタッチパネルの画面構成の例である。
【図１１】実施例３の撮影用コントローラのＣＰＵの処理の流れを表すフローチャートである。
【図１２】実施例３の撮影用コントローラのズーム関連項目を設定値表示領域に表示する場合のタッチパネルの画面構成の例である。
【発明を実施するための形態】
【００１３】
以下に、本発明の好ましい実施の形態を、添付の図面に基づいて詳細に説明する。
【００１４】
［実施例１］
以下、本発明の撮影用コントローラの第１の実施例について説明する。図１に本発明の実施形態に係る撮影用コントローラである操作器１を用いて、雲台２を遠隔操作する撮影システムの接続例を示す。雲台２（撮影装置）にはパン・チルト駆動部が備えられ、カメラ２１とレンズ２２が搭載されている。ユーザが操作器１の操作部を操作すると、操作に対応した制御命令が雲台２に送信される。また、雲台２から操作器１に対しては、現在の雲台２の状態を表す状態情報（例えば、操作器からの制御指令に対応する操作対象の位置情報）が送信される。そして、操作器１はこの状態情報を元にして操作器１内部に記憶されている管理項目の設定値を更新する。
【００１５】
操作器１の操作部（操作手段）は、好ましくは図示されているような、ズームレバー１３、フォーカスエンコーダ１４、ジョイスティック１５、タッチパネル１６、ハードスイッチ１７等で構成されるとよい。ズームレバー１３を前後に操作することでレンズ２２のズーム操作を行うことができる。またフォーカスエンコーダ１４を回転させることで、レンズ２２のフォーカス制御を行うことができる。さらに、ジョイスティック１５を前後左右に操作することで、雲台２のパン・チルト制御が可能である。
【００１６】
図２は実施例１における操作器１の内部構成を表すブロック図である。操作器１は前述の操作部に加えて、通信ポート１１・１２、通信部（通信手段）１０１、ＣＰＵ（制御手段）１０２、表示処理部１０３、記憶部１０４、操作認識部１０５、設定値表示領域変更部１０６、状態情報認識部１０７から構成される。ユーザがズームレバー１３等の操作部を操作すると、操作認識部１０５が該当の操作を認識し、ＣＰＵ１０２へ操作内容を出力する。ＣＰＵ１０２は操作内容を認識すると、操作に対応した制御命令を通信部１０１へ出力する。
【００１７】
通信部１０１はＣＰＵ１０２から通知された制御コマンドを、通信ポート１１を介して接続されている雲台２へ送信する。また、ＣＰＵ１０２は、操作認識部１０５から通知される操作部の操作状態や、通信ポート１１を介して受信される外部の機器の状態情報に応じた内容を表示処理部１０３へ出力する。表示処理部１０３はＣＰＵ１０２からの入力に応じて、タッチパネル１６の表示を制御する。タッチパネル１６内の設定値表示領域１６２の表示は設定値表示領域変更部１０６と状態情報認識部１０７で行う。状態情報認識部１０７では通信ポート１１を介して受信される雲台２の状態情報を取得する。
【００１８】
そして、設定値表示領域１６２の表示を変更する必要がある場合は、設定値表示領域変更部１０６がＣＰＵ１０２を介して表示する設定値を表示処理部１０３へ出力することで表示を制御する。また、各種の設定情報等を保存するための記憶部１０４を持つ。
【００１９】
図３にタッチパネル１６に表示される画面構成の例を示す。タッチパネル１６は状態を表示する表示部としての機能と、画面にソフトボタンを表示する操作部としての機能を有する。タッチパネル１６の画面上には複数のボタンとその機能を表すテキストが表示される。また、タッチパネル１６の表示領域はタッチパネル操作時においてソフトスイッチ表示領域１６１と設定値表示領域１６２が設けられる。ソフトスイッチ表示領域１６１は各ソフトスイッチを押下することで雲台２を操作することができる。また、設定値表示領域１６２に操作器１の操作内容を表示することで、ユーザに雲台２の設定値が変更されたことを通知する。
【００２０】
次に、操作器１の設定値表示領域１６２を変更する際のＣＰＵ１０２の処理の流れについて、図４のフローチャートを元に説明する。
【００２１】
ＣＰＵ１０２は、まず、ステップＳ１０１で操作器１において操作部の操作を取得したかを確認する。操作が取得されない場合は、ここで本処理を終了する。一方、ステップＳ１０１で操作を取得した場合はステップＳ１０２に進み、その操作内容の処理を行った後に雲台２へ送信する。送信後はステップＳ１０３で待機し、送信内容に対する雲台からの状態情報の取得を行う。ステップＳ１０３で雲台から状態情報を受け取ると、ステップＳ１０４に進み、その受信データに基づいて操作器内で管理している雲台に関する設定値の変更を行う。
【００２２】
そして、ステップＳ１０５で変更された設定値の個数を算出する。ステップＳ１０５の結果、変更された設定値が１つである場合はステップＳ１０６で変更された設定値とその設定値に関連する項目の設定値を設定値表示領域１６２に表示する。図５にステップＳ１０６におけるタッチパネル１６上の設定値表示領域１６２の表示例を示す。図５は操作器１の操作によりゲインの変更を行った場合の表示例である。ゲインにより撮影される映像の明るさを変更した場合には、その明るさに関連する項目であるシャッターやアイリスの設定値も併せて設定値表示領域１６２に表示する。関連する項目の表示は設定値表示領域１６２の領域内で同時に表示可能な項目数とする。また、関連する項目がない場合には操作器１で操作された項目のみを表示する。
【００２３】
一方、ステップＳ１０５において雲台２の複数の設定値が操作器１の操作により変更されたと判定される場合には、ステップＳ１０７で操作器１の操作内容を設定値表示領域１６２に表示する。図６にステップＳ１０７におけるタッチパネル１６上の設定値表示領域１６２の表示例を示す。図６は操作器１の操作によりプリセットを行った場合の表示例である。プリセットはパン、チルト、ズーム、フォーカスの設定値が保存された値に変更される。全ての変更項目を設定値表示領域１６２の領域内で同時に表示することは難しいため、操作内容であるプリセットの番号を表示する。
【００２４】
以上のように、雲台２が操作器１によって操作された場合に設定値の変更が１つか複数化に応じて設定値表示領域１６２に表示する項目を変更することで、タッチパネル１６の画面内で効率的に変更された設定値を表示することができる。これにより、操作器１からの制御指令により変更された項目やその項目と関連する項目の設定値を自動的に確認することが可能となる。
【００２５】
操作器１の内部構造については、ＣＰＵ１０２と他の機能をブロックで分割したが、例えばＣＰＵ１０２が通信部１０１、表示処理部１０３、記憶部１０４、操作認識部１０５、設定値表示領域変更部１０６、状態情報認識部１０７の機能を兼用しても良い。
【００２６】
［実施例２］
以下、本発明の第２の実施例について説明する。図７は本発明の第２の実施例に係る撮影用コントローラである操作器１の内部構成を表すブロック図である。図７の構成は、図３に示した実施例１の構成と比較し、操作時間計測部１０８が追加されている。操作時間計測部１０８は一定時間内に複数の処理が行われた場合やまったく処理が行われなかった場合を識別して、設定値表示領域変更部１０６に情報を送る。それにより、設定値表示領域変更部１０６が設定値表示領域１６２に表示する設定値を決定する。
【００２７】
次に、操作器１の設定値表示領域１６２を変更する際のＣＰＵ１０２の処理の流れについて、図８のフローチャートを元に説明する。
【００２８】
まず、ステップＳ２０１でパン/チルト/ズームの操作を取得したかを確認する。ここで、これらの操作が習得されなかった場合は本処理を終了する。一方、ステップＳ２０１でパン/チルト/ズーム操作を取得した場合はステップＳ２０２で操作内容の処理を行い、雲台へ操作内容を送信する。その後はステップＳ２０３で待機し、送信内容に対する雲台からの状態情報の取得を行う。ステップＳ２０３で雲台から状態情報を受け取ると、ステップＳ２０４に進み、その受信データに基づいて操作器内で管理している雲台に関する設定値の変更を行う。次に、ステップＳ２０５でその他の操作を取得したかを確認する。
【００２９】
ここで、その他の操作を取得する際のＣＰＵ１０２の処理の流れについて、図９のフローチャートを元に説明する。
【００３０】
まず、ステップＳ３０１で操作器の操作を取得する。そして、ステップＳ３０２に進み、その操作がパン/チルト/ズーム以外のその他の操作であるかを判定する。ここで、取得した操作がパン/チルト/ズームであった場合には本処理を終了する。一方、取得した操作がパン/チルト/ズーム以外の操作であった場合は、ステップＳ３０３に進む。ステップＳ３０３では本処理のステップＳ３０１で取得した操作を保存する。
【００３１】
ここで取得した操作を保存することでその他の操作を取得しているかを識別することができる。操作の保存後はステップＳ３０４に進み、一定時間経過するまで待機する。この期間中にパン/チルト/ズーム操作を取得した場合にその他の操作とパン/チルト/ズーム操作が同時に操作されたとみなす。一定時間経過するとステップＳ３０５に進み、保存していた操作内容を破棄する。本処理を行うことで、その他の操作とパン/チルト/ズーム操作が同時に行われたことを識別することができる。
【００３２】
ここで、図８のフローチャートに戻る。次に、ステップＳ２０６において、パン/チルト/ズーム以外のその他の操作を取得したかを判定する。その他の操作を取得したことで同時操作が行われたと判定された場合はステップＳ２０７へ進む。一方、その他の操作を取得できなかった場合はステップＳ２０９へ進む。ステップＳ２０７では取得したパン/チルト/ズームの値があらかじめ設定されている閾値の範囲内であるかを判定する。この閾値はパン/チルト/ズームのそれぞれの値に対して上限と下限の２つの閾値を設定する。ステップＳ２０７の判定によりパン/チルト/ズームの値が閾値以内である場合はステップＳ２０８へ進む。
【００３３】
一方、閾値を超える場合はステップＳ２０９へ進む。ステップＳ２０８では他の操作情報を設定値表示領域１６２に表示する。表示例は実施例１で示した図５や図６と同様である。また、ステップＳ２０９ではパン/チルト/ズーム情報を表示する。この場合の表示例を図１０に示す。ズームが望遠側の端付近に設定されているため、ズームの表示が優先される。
【００３４】
以上のように、パン/チルト/ズームそれぞれの値に閾値を設定することで、パン/チルト/ズームとその他の操作が同時に行われた場合に設定値表示領域１６２に表示する操作情報を変更することができる。パン/チルト/ズームが閾値以内である場合は他の操作情報を設定値表示領域１６２表示させ、閾値を超える場合はパン/チルト/ズームの値を表示させることでタッチパネル１６の画面内で効率的に優先度の高い操作情報を表示することができる。これにより、操作器１から複数の制御指令が同時に出された場合においても優先度の高い操作内容を自動的に確認することが可能となる。
【００３５】
［実施例３］
以下、本発明の第３の実施例について説明する。第３の実施例に係る撮影用コントローラである操作器１の内部構成を表すブロック図は第２の実施例で示した図７と同様である。操作器１の設定値表示領域１６２を変更する際のＣＰＵ１０２の処理の流れについて、図１１のフローチャートを元に説明する。
【００３６】
まず、ステップＳ４０１で一定時間中に操作が行われたかを判定する。行われた場合は、本処理を終了する。一方、行われていなかった場合はステップＳ４０２へ進む。ステップＳ４０２ではズーム設定値の確認を行う。そして、ステップＳ４０３でズーム位置が望遠端にあるかを判定する。その結果、望遠端にない場合は本処理を終了する。一方、望遠端にある場合はステップＳ４０４に進む。ステップＳ４０４ではズーム関連の設定値を設定値表示領域１６２に表示する。その場合の表示例を図１２に示す。この図では設定値表示領域１６２にズーム位置とデジタルエクステンダの状態を表示している。その他、デジタルズーム倍率を表示してもよい。
【００３７】
以上のように、ズーム位置が望遠端にある場合にズーム関連の設定値を設定値表示領域１６２に表示する。これにより、ズーム位置が望遠端であってもデジタルエクステンダの倍率変更などの操作を行うことによりズーム関連の操作が可能であることをユーザに通知し、ズーム操作の補助を行うことができる。よって、操作器１から制御指令が出されない場合において必要とする設定値や操作内容を自動的に確認することが可能となる。
【００３８】
以上、本発明の好ましい実施形態について説明したが、本発明はこれらの実施形態に限定されず、その要旨の範囲内で種々の変形及び変更が可能である。
【符号の説明】
【００３９】
１  操作器（撮影用コントローラ）
２  雲台（撮影装置）
１３  ズームレバー（操作手段）
１４  フォーカスエンコーダ（操作手段）
１５  ジョイスティック（操作手段）
１６  タッチパネル（操作手段）
１７  ハードスイッチ（操作手段）
１０１  通信部（通信手段）
１０２  ＣＰＵ（制御手段）
【図１】
2018201093.tif 000003
【図２】
2018201093.tif 000004
【図３】
2018201093.tif 000005
【図４】
2018201093.tif 000006
【図５】
2018201093.tif 000007
【図６】
2018201093.tif 000008
【図７】
2018201093.tif 000009
【図８】
2018201093.tif 000010
【図９】
2018201093.tif 000011
【図１０】
2018201093.tif 000012
【図１１】
2018201093.tif 000013
【図１２】
2018201093.tif 000014